(57)【特許請求の範囲】
【請求項１】
ハウジングと、端子とを備えるコネクタであって、
前記ハウジングは、端子収容部と、底部とを有しており、
前記端子収容部は、上下方向において上方に開口しており、
前記底部は、前記端子収容部の下に位置しており、
前記端子は、基部と、バネ部と、接触部とを有しており、
前記基部は、前記底部に埋め込まれて保持されており、
前記バネ部は、前記基部から上方に延びて、前記端子収容部に弾性変形可能に収容されており、
前記接触部は、前記バネ部に支持されており、前記上下方向と直交する所定方向に移動可能であり、
前記基部は、前記上下方向と直交する所定平面において前記底部に囲まれており、前記所定平面において前記底部と隙間なく接触しており、
前記基部は、前記上下方向と直交する平面内に位置する下面を有しており、
前記基部の前記下面は、前記底部と隙間なく接触しており、
前記コネクタを下方から見たとき、前記基部を部分的に視認できる一方、前記端子収容部を視認できない
コネクタ。
【請求項２】
請求項１記載のコネクタであって、
前記ハウジングは、対向壁を有しており、
前記対向壁は、前記所定方向において前記バネ部と対向しており
前記底部は、薄肉部を有しており、
前記薄肉部は、前記所定方向において前記バネ部と前記対向壁との間に位置しており、
前記薄肉部の前記上下方向におけるサイズは、前記基部の前記上下方向におけるサイズ以下である
コネクタ。
【請求項３】
請求項１又は請求項２記載のコネクタであって、
前記底部は、主部と、突出部とを有しており、
前記主部は、前記上下方向と直交する平板形状を有しており、
前記突出部は、前記主部から部分的に上方に延びている
コネクタ。
【請求項４】
請求項１乃至請求項３のいずれかに記載のコネクタであって、
前記底部の下面及び前記基部の前記下面は、前記上下方向と直交する同一平面上に位置している
コネクタ。
【請求項５】
請求項１乃至請求項４のいずれかに記載のコネクタであって、
前記コネクタは、レセプタクルであり、
前記端子は、対向部を有しており、
前記対向部は、前記基部から上方に延びており、前記所定方向において前記バネ部と対向している
コネクタ。
【請求項６】
請求項１乃至請求項５のいずれかに記載のコネクタであって、
前記端子は、被保持部と、被固定部とを有しており、
前記被保持部は、前記基部から逆Ｕ字形状に延びており、
前記被固定部は、前記被保持部から前記所定方向の外側に延びており、
前記ハウジングは、内側部と、外側部とを有しており、
前記内側部は、前記上下方向及び前記所定方向によって規定される平面において前記被保持部の内側に位置しており、
前記外側部は、前記被固定部の上に位置しており、
前記内側部と前記外側部とは、前記被保持部を前記所定方向において部分的に挟んでいる
コネクタ。
【請求項７】
請求項１乃至請求項６のいずれかに記載のコネクタであって、
前記コネクタを上方から見たとき、前記基部、前記バネ部及び前記接触部の夫々を部分的に視認できる
コネクタ。
【発明の詳細な説明】
【技術分野】
【０００１】
本発明は、ハウジングと、ハウジングに埋め込まれた端子とを備えるコネクタに関する。
【背景技術】
【０００２】
このタイプのコネクタは、例えば、特許文献１に開示されている。
【０００３】
図１４を参照すると、特許文献１に開示されたコネクタ９００は、絶縁体からなるハウジング９１０と、導電体からなる複数の端子９２０とを備えている。端子９２０は、インサート成型によってハウジング９１０に埋め込まれている。端子９２０の夫々は、弾性変形可能な弾性腕部（バネ部）９２２と、回路基板（図示せず）に半田付けされる接続部（被固定部）９２４とを有している。ハウジング９１０には、下方（−Ｚ方向）に開口した孔部９１２が形成されている。
【先行技術文献】
【特許文献】
【０００４】
【特許文献１】特許第５３６９１２５号公報
【発明の概要】
【発明が解決しようとする課題】
【０００５】
コネクタ９００を回路基板に搭載する際、端子９２０の被固定部９２４を保護するために樹脂からなる封止材を回路基板に塗布する場合がある。この場合、封止材が孔部９１２を通過してコネクタ９００の内部に侵入するおそれがある。コネクタ９００の内部に侵入した封止材は、端子９２０に付着して、バネ部９２２の弾性変形を阻害したり相手側コネクタとの嵌合を阻害したりするおそれがある。
【０００６】
そこで、本発明は、ハウジングと、ハウジングに埋め込まれた端子とを備えるコネクタであって、端子への封止材の付着を防止できるコネクタを提供することを目的とする。
【課題を解決するための手段】
【０００７】
本発明は、第１のコネクタとして、
ハウジングと、端子とを備えるコネクタであって、
前記ハウジングは、端子収容部と、底部とを有しており、
前記端子収容部は、上下方向において上方に開口しており、
前記底部は、前記端子収容部の下に位置しており、
前記端子は、基部と、バネ部と、接触部とを有しており、
前記基部は、前記底部に埋め込まれて保持されており、
前記バネ部は、前記基部から上方に延びて、前記端子収容部に弾性変形可能に収容されており、
前記接触部は、前記バネ部に支持されており、前記上下方向と直交する所定方向に移動可能であり、
前記基部は、前記上下方向と直交する所定平面において前記底部に囲まれており、前記所定平面において前記底部と隙間なく接触しており、
前記コネクタを下方から見たとき、前記基部を部分的に視認できる一方、前記端子収容部を視認できない
コネクタを提供する。
【０００８】
また、本発明は、第２のコネクタとして、第１のコネクタであって、
前記ハウジングは、対向壁を有しており、
前記対向壁は、前記所定方向において前記バネ部と対向しており
前記底部は、薄肉部を有しており、
前記薄肉部は、前記所定方向において前記バネ部と前記対向壁との間に位置しており、
前記薄肉部の前記上下方向におけるサイズは、前記基部の前記上下方向におけるサイズ以下である
コネクタを提供する。
【０００９】
また、本発明は、第３のコネクタとして、第１又は第２のコネクタであって、
前記底部は、主部と、突出部とを有しており、
前記主部は、前記上下方向と直交する平板形状を有しており、
前記突出部は、前記主部から部分的に上方に延びている
コネクタを提供する。
【００１０】
また、本発明は、第４のコネクタとして、第１乃至第３のいずれかのコネクタであって、
前記底部の下面及び前記基部の下面は、前記上下方向と直交する同一平面上に位置している
コネクタを提供する。
【００１１】
また、本発明は、第５のコネクタとして、第１乃至第４のいずれかのコネクタであって、
前記コネクタは、レセプタクルであり、
前記端子は、対向部を有しており、
前記対向部は、前記基部から上方に延びており、前記所定方向において前記バネ部と対向している
コネクタを提供する。
【００１２】
また、本発明は、第６のコネクタとして、第１乃至第５のいずれかのコネクタであって、
前記端子は、被保持部と、被固定部とを有しており、
前記被保持部は、前記基部から逆Ｕ字形状に延びており、
前記被固定部は、前記被保持部から前記所定方向の外側に延びており、
前記ハウジングは、内側部と、外側部とを有しており、
前記内側部は、前記上下方向及び前記所定方向によって規定される平面において前記被保持部の内側に位置しており、
前記外側部は、前記被固定部の上に位置しており、
前記内側部と前記外側部とは、前記被保持部を前記所定方向において部分的に挟んでいる
コネクタを提供する。
【００１３】
また、本発明は、第７のコネクタとして、第１乃至第６のいずれかのコネクタであって、
前記コネクタを上方から見たとき、前記基部、前記バネ部及び前記接触部の夫々を部分的に視認できる
コネクタを提供する。
【発明の効果】
【００１４】
本発明によれば、端子の基部は、ハウジングの端子収容部の下に位置する底部に埋め込まれて保持されている。特に、基部は、上下方向と直交する所定平面において底部に囲まれており、所定平面において底部と隙間なく接触している。また、コネクタを下方から見たとき、基部を部分的に視認できる一方、端子収容部を視認できない。この構造により、端子収容部は、底部と基部とによって下方から完全に覆うことができる。このため、端子収容部に収容された端子への封止材の付着を防止できる。
【図面の簡単な説明】
【００１５】
【図１】本発明の実施の形態によるコネクタを示す斜視図である。コネクタが搭載される回路基板の一部を破線で描画している。
【図２】図１のコネクタを示す上面図である。
【図３】図１のコネクタを示す底面図である。コネクタのハウジングの底壁における底部の輪郭を破線で描画している。
【図４】図１のコネクタを示す側面図である。
【図５】図４のコネクタをＶ−Ｖ線に沿って示す断面図である。コネクタと嵌合可能な相手側コネクタの一部を破線で描画している。
【図６】図１のコネクタを示す斜視断面図である。
【図７】図１のコネクタのハウジングを示す斜視図である。
【図８】図７のハウジングを示す上面図である。端子収容部の近傍（１点鎖線で囲んだ部分）を拡大して描画している。拡大図において、端子収容部の輪郭を破線で描画している。
【図９】図７のハウジングを示す底面図である。ハウジングの底壁における底部の輪郭を破線で描画している。
【図１０】図７のハウジングを示す側面図である。
【図１１】図１０のハウジングをＸＩ−ＸＩ線に沿って示す断面図である。
【図１２】図７のハウジングを示す斜視断面図である。
【図１３】図１のコネクタの端子を示す斜視図である。
【図１４】特許文献１のコネクタを示す斜視断面図である。
【発明を実施するための形態】
【００１６】
図１を参照すると、本発明の実施の形態によるコネクタ１０は、回路基板７０等の対象物に搭載されて使用される。図５を参照すると、本実施の形態によるコネクタ１０は、相手側コネクタ８０と嵌合方向（Ｚ方向：上下方向）に沿って嵌合可能である。
【００１７】
詳しくは、図１及び図５を参照すると、コネクタ１０には、２つの受容部１２が形成されている。受容部１２の夫々は、下方（−Ｚ方向）に凹んだ凹部であり、ピッチ方向（Ｙ方向）に延びている。相手側コネクタ８０は、受容部１２に夫々対応する２つの相手側嵌合部８２を有している。コネクタ１０が、相手側コネクタ８０と嵌合する際、相手側嵌合部８２は、受容部１２に夫々受容される。換言すれば、受容部１２は、コネクタ１０と相手側コネクタ８０との嵌合状態において相手側嵌合部８２を受容する空間である。この構造から理解されるように、コネクタ１０は、レセプタクルであり、相手側コネクタ８０は、プラグである。但し、本発明は、これに限られず、様々なコネクタに適用可能である。
【００１８】
図１乃至図４を参照すると、コネクタ１０は、絶縁体からなるハウジング２０と、導電体からなる複数の端子３０と、金属製の２つのホールドダウン４０とを備えている。但し、本発明は、これに限られない。例えば、コネクタ１０は、ホールドダウン４０を備えていなくてもよい。一方、コネクタ１０は、上記の部材に加えて様々な部材を備えていてもよい。
【００１９】
図５及び図６から理解されるように、端子３０は、ハウジング２０にインサート成型されて埋め込まれている。以下、ハウジング２０の基本的な構造について説明した後に、端子３０の構造について説明する。その後、ハウジング２０における端子３０の保持構造について更に詳細に説明する。
【００２０】
図７乃至図１０に示されるように、ハウジング２０は、Ｙ方向に長く幅方向（Ｘ方向：所定方向）に短い箱形状を有している。ハウジング２０は、２つの側壁２１０と、２つの連結壁２２０と、底壁２３０と、中間壁（対向壁）２８０とを有している。側壁２１０は、Ｙ方向に延びている。連結壁２２０は、ハウジング２０のＹ方向における両端部に夫々位置している。連結壁２２０の夫々は、２つの側壁２１０をＸ方向に連結している。底壁２３０は、ハウジング２０の下端（−Ｚ側の端）に位置している。対向壁２８０は、ハウジング２０のＸ方向における中間部に位置しており、Ｙ方向に延びている。
【００２１】
図１乃至図４を参照すると、連結壁２２０には、ホールドダウン４０が夫々取り付けられている。
【００２２】
図７を参照すると、対向壁２８０は、Ｘ方向において受容部１２を挟んで側壁２１０と対向している。換言すれば、受容部１２は、Ｘ方向において対向壁２８０と側壁２１０との間に位置している。
【００２３】
図７及び図８を参照すると、対向壁２８０は、複数の仕切り壁２８４を有している。本実施の形態によれば、対向壁２８０の＋Ｘ側の面と−Ｘ側の面の夫々に、複数の仕切り壁２８４が設けられている。対向壁２８０の＋Ｘ側の面及び−Ｘ側の面の夫々において、仕切り壁２８４のうちの２つは、対向壁２８０のＹ方向における両端に夫々設けられており、残りの仕切り壁２８４は、Ｙ方向における両端の間に等間隔に設けられている。＋Ｘ側の仕切り壁２８４は、＋Ｘ側の側壁２１０に向かって＋Ｘ方向に延びており、−Ｘ側の仕切り壁２８４は、−Ｘ側の側壁２１０に向かって−Ｘ方向に延びている。
【００２４】
ハウジング２０は、複数の端子収容部２９０を有している。本実施の形態による端子収容部２９０の夫々は、Ｙ方向において隣り合う２つの仕切り壁２８４の間に位置し、Ｘ方向において対向壁２８０と側壁２１０との間に位置する空間である。端子収容部２９０の夫々は、受容部１２の一部である。換言すれば、受容部１２は、Ｙ方向において、Ｙ方向両端に夫々形成された２つの端子収容部２９０の間（この２つの端子収容部２９０を含む）に位置している。
【００２５】
本実施の形態によれば、端子収容部２９０の列が２列形成されている。２列は、Ｘ方向において互いから離れている。各列において、端子収容部２９０は、Ｙ方向に並んでいる。但し、本発明は、これに限られない。例えば、端子収容部２９０は、各列において１つだけ設けられていてもよい。また、端子収容部２９０の列は、１列だけ形成されていてもよい。この場合、ハウジング２０は、＋Ｘ側（−Ｘ側）の側壁２１０を有しておらず、対向壁２８０が＋Ｘ側（−Ｘ側）の側壁であってもよい。
【００２６】
図７、図８及び図１０を参照すると、端子収容部２９０の夫々は、Ｚ方向において上方（＋Ｚ方向）に開口している。図８と併せて図９を参照すると、端子収容部２９０の下には、端子収容部２９０と夫々対応する複数の底部２４０が設けられている。換言すれば、ハウジング２０は、端子収容部２９０の下に位置する底部２４０を有している。底部２４０の夫々は、下面２４０Ｌを有している。図９から理解されるように、底部２４０の夫々は、ハウジング２０の底壁２３０の一部である。従って、底部２４０の下面２４０Ｌは、底壁２３０の下面（−Ｚ側の面）の一部である。本実施の形態において、底部２４０の夫々と、底壁２３０のうちの他の部位との間には、視認可能な明瞭な境界はない。但し、底部２４０の下面２４０Ｌの夫々には、溝等の境界が形成されていてもよい。
【００２７】
図１及び図２を参照すると、端子３０は、Ｘ方向において互いから離れた２列に分けられてハウジング２０に保持されている。より具体的には、端子３０は、２列に分けられた端子収容部２９０に夫々収容されて保持されている。従って、各列において、端子３０は、Ｙ方向に並んでいる。図６を参照すると、端子３０は、互いに同一な形状を有している。換言すれば、本実施の形態において、全ての端子３０が同一部品である。また、＋Ｘ側の列に並べられた端子３０は、−Ｘ側の列に並べられた端子３０とＹＺ平面に対して鏡対称になるように配置されている。但し、本発明は、これに限られない。例えば、＋Ｘ側の端子３０と−Ｘ側の端子３０とは、多少異なる形状を有していてもよい。
【００２８】
図１３を参照すると、本実施の形態による端子３０の夫々は、折り曲げられた１枚の金属板である。但し、本発明は、これに限られない。端子３０の夫々は、所定の形状に打ち抜いただけの１枚の金属板であってもよいし、複数の部材から形成されていてもよい。
【００２９】
図１３に示されるように、端子３０の夫々は、被固定部３１０と、被保持部３２０と、基部３４０と、バネ部３５０と、接触部３６０とを有している。被固定部３１０、被保持部３２０、基部３４０及びバネ部３５０は、この順に連続して延びている。
【００３０】
基部３４０は、Ｚ方向と直交し且つＹ方向において部分的に張り出した平板形状を有している。換言すれば、基部３４０は、Ｚ方向と直交する平面状の上面（＋Ｚ側の面）及び下面３４０Ｌを有している。本実施の形態において、基部３４０のＺ方向におけるサイズ（厚さ）は、基部３４０のどの部位においても製造誤差を除き同一である。但し、基部３４０の厚さは、基部３４０の部位によって多少異なっていてもよい。
【００３１】
バネ部３５０は、基部３４０のＸ方向内側の端から上方に延びている。バネ部３５０は、基部３４０に支持されており、ＸＺ平面において弾性変形可能である。バネ部３５０の上部（＋Ｚ側の部位）は、Ｘ方向外側に張り出しており、これにより接触部３６０が形成されている。換言すれば、接触部３６０は、バネ部３５０に支持されている。接触部３６０は、バネ部３５０の弾性変形によってＸ方向に移動可能である。
【００３２】
被保持部３２０は、基部３４０のＸ方向外側の端から逆Ｕ字形状に延びている。詳しくは、被保持部３２０は、Ｉ字形状の対向部３３０と、逆Ｌ字形状の延長部３２２とを有している。対向部３３０は、基部３４０のＸ方向外側の端から上方に延びている。対向部３３０は、Ｘ方向においてバネ部３５０と対向している。対向部３３０には、接触部３６０に向かって突出した突出部３３２が設けられている。延長部３２２は、対向部３３０の上端（＋Ｚ側の端）からＸ方向外側に延びた後、下方に延びている。被固定部３１０は、被保持部３２０のＸ方向外側の端（即ち、延長部３２２の下端）からＸ方向の外側に向かって延びている。
【００３３】
図１及び図２を参照すると、端子３０のバネ部３５０は、端子収容部２９０に弾性変形可能に収容されている。換言すれば、端子収容部２９０は、対応する端子３０のバネ部３５０の弾性変形を許容する空間である。特に、端子収容部２９０は、Ｙ方向においても、バネ部３５０のある程度の弾性変形を許容している。より具体的には、端子収容部２９０は、Ｙ方向において、バネ部３５０が弾性変形する範囲内に位置している。
【００３４】
図１を参照すると、コネクタ１０が回路基板７０に搭載されたとき、被固定部３１０は、半田付け等によって、回路基板７０の導体パターン（図示せず）に夫々接続され固定される。図５を参照すると、嵌合状態において、接触部３６０は、相手側コネクタ８０の相手側嵌合部８２の相手側端子８４と接触する。突出部３３２と接触部３６０との間のＸ方向における距離は、相手側嵌合部８２のＸ方向におけるサイズよりも小さい。このため、相手側端子８４は、嵌合状態において、突出部３３２と接触部３６０との間に挟み込まれる。これにより、コネクタ１０と相手側コネクタ８０とは電気的に接続される。
【００３５】
以下、ハウジング２０の端子収容部２９０における端子３０の保持構造について詳細に説明する。
【００３６】
図１１及び図１２を参照すると、ハウジング２０の側壁２１０は、端子収容部２９０に夫々対応する複数の溝部２１２を有している。溝部２１２の夫々は、内側溝２１２Ｉと、上側溝２１２Ｕと、外側溝２１２Ｏから構成されている。内側溝２１２Ｉは、側壁２１０のうち端子収容部２９０に面する部位に形成された溝である。内側溝２１２Ｉは、Ｘ方向外側に凹んでおり、底部２４０から上方に延びている。上側溝２１２Ｕは、側壁２１０の上部に形成された溝である。上側溝２１２Ｕは、下方に凹んでおり、内側溝２１２Ｉの上端からＸ方向外側に延びている。外側溝２１２Ｏは、側壁２１０をＺ方向に貫通する溝である。外側溝２１２Ｏは、上側溝２１２ＵのＸ方向外側の端から下方に延びている。
【００３７】
ハウジング２０は、複数の内側部２１６と、内側部２１６と夫々対応する複数の外側部２１８とを有している。内側部２１６は、端子収容部２９０に夫々対応して設けられている。同様に、外側部２１８は、端子収容部２９０に夫々対応して設けられている。内側部２１６及び外側部２１８の夫々は、側壁２１０の一部であり、溝部２１２に対応している。詳しくは、内側部２１６は、側壁２１０のうち、Ｘ方向及びＺ方向によって規定される平面（ＸＺ平面）において溝部２１２によって３方から囲まれた部位である。外側部２１８は、側壁２１０のうち、外側溝２１２ＯのＸ方向外側に位置する部位である。換言すれば、外側溝２１２Ｏは、Ｘ方向において内側部２１６及び外側部２１８の間に位置している。
【００３８】
図５及び図６を参照すると、端子３０の被保持部３２０は、ハウジング２０の側壁２１０にインサート成型され、側壁２１０の溝部２１２に埋め込まれて保持されている。換言すれば、被保持部３２０は、溝部２１２を通過しつつ、基部３４０と被固定部３１０とを互いに連結している。これにより、側壁２１０の内側部２１６は、ＸＺ平面において被保持部３２０の内側に位置している。特に、内側部２１６は、被保持部３２０の下に位置しており、外側部２１８は、被固定部３１０の上に位置している。この構造により、端子３０は、側壁２１０を破損しない限り、いずれの方向に力を加えてもハウジング２０から外れない。更に、被保持部３２０が外部に殆ど露出していないため、端子３０の耐食性が高い。
【００３９】
図９、図１１及び図１２を参照すると、底部２４０の夫々は、概ね平板形状を有している。詳しくは、底部２４０の夫々は、主部２４２と、突出部２４６とを有している。主部２４２は、Ｚ方向と直交する平板形状を有している。換言すれば、主部２４２は、Ｚ方向と直交する平面状の上面及び下面を有している。本実施の形態において、主部２４２の下面は、底部２４０の下面２４０Ｌである。図１１及び図１２を参照すると、底部２４０の夫々は、薄肉部２４４を有している。本実施の形態による薄肉部２４４は、主部２４２の一部である。詳しくは、薄肉部２４４は、主部２４２のＸ方向内側の端部である。突出部２４６は、薄肉部２４４から上方に突出している。
【００４０】
図５及び図６を参照すると、端子３０の基部３４０は、インサート成型により底部２４０に埋め込まれて保持されている。特に、基部３４０は、Ｚ方向と直交する所定平面ＰＬにおいて底部２４０に四方から囲まれており、所定平面ＰＬにおいて底部２４０と隙間なく接触している。換言すれば、基部３４０は、底部２４０と密着しており、底部２４０を破損しない限り、底部２４０から外すことができない。更に、基部３４０は、部分的にＹ方向外側に張り出している。これにより、基部３４０は、ハウジング２０に更に強固に保持されている。
【００４１】
図２を参照すると、コネクタ１０を上方から見たとき、基部３４０、バネ部３５０及び接触部３６０の夫々を部分的に視認できる。詳しくは、図５及び図６を参照すると、端子３０のバネ部３５０及び接触部３６０は、上方から覆われていない。また、基部３４０の上面も、対向部３３０の下に位置する部位を除き、上方から覆われていない。このため、仮に底部２４０が基部３４０を保持する保持力が不十分な場合、コネクタ１０と嵌合した相手側コネクタ８０をコネクタ１０から上方に引き抜く際、端子３０の接触部３６０が相手側端子８４から上方に向かう力を受け、基部３４０が底部２４０から引き離されるおそれがある。一方、本実施形態による基部３４０は、上述したように、インサート成型によって底部２４０に強固に保持されている。従って、相手側コネクタ８０をコネクタ１０から引き抜く際にも、バネ部３５０及び接触部３６０は、上方に殆ど移動しない。
【００４２】
図３、図５及び図６を参照すると、コネクタ１０を下方から見たとき、底部２４０によって囲まれた基部３４０を部分的に視認できる一方、端子収容部２９０を視認できない。換言すれば、端子収容部２９０は、底部２４０と基部３４０とによって完全に覆い隠されている。図６と併せて図１２を参照すると、仮に底部２４０から基部３４０を取り除くと、底部２４０には、コネクタ１０の下方から端子収容部２９０の内部に延びる孔が形成される。別の観点から説明すると、基部３４０は、この孔を完全に塞いでいる。端子収容部２９０は、ハウジング２０にインサート成型された端子３０の基部３４０によって完全に覆い隠されている。このため、コネクタ１０を回路基板７０に搭載する際、樹脂からなる封止材を回路基板７０（図１参照）に塗布したとしても、封止材は、端子収容部２９０の内部に侵入しない。
【００４３】
図９と併せて図３を参照すると、本実施の形態において、ハウジング２０の底壁２３０には、孔が全く形成されていない。これにより、封止材の浸入を、より確実に防止できる。但し、本発明は、これに限定されない。受容部１２（図１参照）の下に底壁２３０をＺ方向に貫通する孔が形成されていない限り、底壁２３０のうち底部２４０から遠く離れた部位に、孔が形成されていてもよい。例えば、底壁２３０のＹ方向における端部近傍に、ホールドダウン４０を回路基板７０（図１参照）に固定するための孔が形成されていてもよい。
【００４４】
図３及び図６を参照すると、基部３４０は、底壁２３０（底部２４０）において外部に露出している。これにより、基部３４０を底部２４０の上部に埋め込んで外部に露出させない場合と比較して、基部３４０の上端と底部２４０の下端との間の距離を小さくできる。換言すれば、コネクタ１０のＺ方向におけるサイズを小さくできる。特に、本実施の形態によれば、底部２４０の主部２４２のＺ方向におけるサイズ（厚さ）は、基部３４０のＺ方向におけるサイズ（厚さ）と等しい。また、基部３４０の下面３４０Ｌは、底部２４０の下面２４０Ｌと面一である。換言すれば、下面３４０ＬのＺ方向における位置は、下面２４０ＬのＺ方向における位置と同じであり、下面２４０Ｌ及び下面３４０Ｌは、Ｚ方向と直交する同一平面上に位置している。これにより、コネクタ１０のＺ方向におけるサイズを、より小さくできる。但し、本発明は、これに限られない。例えば、下面３４０Ｌは、下面２４０Ｌよりも多少上方に位置していてもよい。
【００４５】
図１１及び図１２と併せて図５を参照すると、底部２４０の突出部２４６は、主部２４２から部分的に上方に延びて、主部２４２の薄肉部２４４を、バネ部３５０の下端部に連結している。薄肉部２４４は、Ｘ方向においてバネ部３５０と対向壁２８０との間に位置している。また、薄肉部２４４のＺ方向におけるサイズ（厚さ）は小さい。このため、バネ部３５０は、突出部２４６及び薄肉部２４４を伴って容易に弾性変形できる。本実施の形態において、薄肉部２４４の厚さは、基部３４０の厚さと等しい。但し、本発明は、これに限られない。薄肉部２４４の強度が損なわれない限り、薄肉部２４４の厚さは、基部３４０の厚さより小さくてもよい。また、バネ部３５０が単独で必要なバネ性を有している場合は、突出部２４６及び薄肉部２４４は、設けなくてもよい。
【００４６】
本実施の形態は、既に説明した変形例に加えて、例えば以下に説明するように様々に変形可能である。
【００４７】
図５を参照すると、ハウジング２０の構造や端子３０の構造は様々に変形可能である。例えば、端子３０の被保持部３２０は、延長部３２２を有していなくてもよい。この場合、被固定部３１０は、被保持部３２０の対向部３３０の上端から延びていてもよい。更に、端子３０は、被保持部３２０を有していなくてもよい。この場合、被固定部３１０は、基部３４０から延びていてもよいし、基部３４０の一部が被固定部３１０として機能してもよい。
【符号の説明】
【００４８】
１０              コネクタ
１２              受容部
２０              ハウジング
２１０            側壁
２１２            溝部
２１２Ｉ          内側溝
２１２Ｕ          上側溝
２１２Ｏ          外側溝
２１６            内側部
２１８            外側部
２２０            連結壁
２３０            底壁
２４０            底部
２４０Ｌ          下面
２４２            主部
２４４            薄肉部
２４６            突出部
２８０            中間壁（対向壁）
２８４            仕切り壁
２９０            端子収容部
３０              端子
３１０            被固定部
３２０            被保持部
３２２            延長部
３３０            対向部
３３２            突出部
３４０            基部
３４０Ｌ          下面
３５０            バネ部
３６０            接触部
４０              ホールドダウン
ＰＬ              所定平面
７０              回路基板
８０              相手側コネクタ
８２              相手側嵌合部
８４              相手側端子
【図１】
0006591251.tif 000002
【図２】
0006591251.tif 000003
【図３】
0006591251.tif 000004
【図４】
0006591251.tif 000005
【図５】
0006591251.tif 000006
【図６】
0006591251.tif 000007
【図７】
0006591251.tif 000008
【図８】
0006591251.tif 000009
【図９】
0006591251.tif 000010
【図１０】
0006591251.tif 000011
【図１１】
0006591251.tif 000012
【図１２】
0006591251.tif 000013
【図１３】
0006591251.tif 000014
【図１４】
0006591251.tif 000015